(57)【要約】      （修正有）【課題】雄ねじ部の外周を周方向に大きく取り囲む構成を安価に実現できるシールテープ除去具を提供すること。【解決手段】シールテープ除去具１は、管継手１０１の雄ねじ部に貼付されたシールテープ１１を除去するためのものである。シールテープ除去具１は、シールテープ１１を巻回状態で保持するためのリール１２に対して装着可能な本体２を有している。本体２には、リール１２の中心孔内に配置される除去用歯部７が設けられている。リール１２の中心孔に管継手１０１の雄ねじ部１０１ａを挿入するとともに、雄ねじ部１０１ａに貼付されたシールテープ１１に除去用歯部７を当接させた状態で、雄ねじ部１０１ａと除去用歯部７とを相対回転させることで、雄ねじ部１０１ａからシールテープ１１が除去される。【選択図】図１０
2019086019.tif 000002
【特許請求の範囲】
【請求項１】
配管部材の雄ねじ部に貼付されたシールテープを除去するためのシールテープ除去具であって、シールテープを巻回状態で保持するためのリールに対して装着可能な本体を有し、当該本体には、前記リールの中心孔内に配置される除去用歯部が設けられており、前記リールの前記中心孔に前記配管部材の前記雄ねじ部を挿入するとともに、当該雄ねじ部に貼付された前記シールテープに前記除去用歯部を当接させた状態で、前記雄ねじ部と前記除去用歯部とを相対回転させることで、当該雄ねじ部から前記シールテープを除去するシールテープ除去具。
【請求項２】
前記本体は、前記リールに対して径方向へ移動可能に構成されている請求項１に記載のシールテープ除去具。
【請求項３】
前記本体は環状をなし、当該本体は一部が前記中心孔に挿通された状態で、前記リールに対して径方向への遊びを持って連結されている請求項２に記載のシールテープ除去具。
【請求項４】
前記除去用歯部の背面は、前記中心孔の内周面に対して周方向に沿った凸曲面状をなしている請求項２又は請求項３に記載のシールテープ除去具。
【請求項５】
シールテープをリールに巻回状態で保持したシールテープ巻回体であって、前記リールの中心孔内に除去用歯部が備えられ、当該中心孔にシールテープが貼付された配管部材の雄ねじ部を挿入するとともに、当該雄ねじ部に貼付された前記シールテープに前記除去用歯部を当接させた状態で、前記雄ねじ部と前記除去用歯部とを相対回転させることで、当該雄ねじ部から前記シールテープを除去するシールテープ巻回体。
【発明の詳細な説明】
【技術分野】
【０００１】
本発明は、配管部材の雄ねじ部に貼付されたシールテープを除去するためのシールテープ除去具及びシールテープをリールに巻回状態で保持したシールテープ巻回体に関する。
【背景技術】
【０００２】
特許文献１には、流体を導く流体導管を連結する連結手の雄ねじに付着したシール材を除去するシール材除去工具が開示されている。当該シール材除去工具は、シール材を除去しようとする雄ねじに螺合する雌ねじを回転軸心方向に１／４に切断して、雌ねじの螺旋溝の断面を露出させて断面に切刃を形成したものである。当該シール除去工具においては、雄ねじのシール材を除去する作業の際には、シール材除去工具と雄ねじとの相対回転を作業者が指先を用いて直接ガイドする必要があり、当該指先が切刃に触れ易い問題があった。
【０００３】
このような問題を解決するには、例えば特許文献２に開示されたシールテープ剥離機構のように、雄ねじの外周を周方向に大きく取り囲む構成を採用すればよい。
【先行技術文献】
【特許文献】
【０００４】
【特許文献１】特開２０１１−２４０４１３号公報
【特許文献２】特開２００７−１５１６６２号公報
【発明の概要】
【発明が解決しようとする課題】
【０００５】
ところが、特許文献２の技術にあっては、雄ねじの外周を周方向に大きく取り囲むための専用の構成が必要となり、コスト高となっていた。
本発明の目的は、雄ねじ部の外周を周方向に大きく取り囲む構成を安価に実現できるシールテープ除去具及びシールテープ巻回体を提供すること。
【課題を解決するための手段】
【０００６】
上記の目的を達成するために請求項１の発明は、配管部材の雄ねじ部に貼付されたシールテープを除去するためのシールテープ除去具であって、シールテープを巻回状態で保持するためのリールに対して装着可能な本体を有し、当該本体には、前記リールの中心孔内に配置される除去用歯部が設けられており、前記リールの前記中心孔に前記配管部材の前記雄ねじ部を挿入するとともに、当該雄ねじ部に貼付された前記シールテープに前記除去用歯部を当接させた状態で、前記雄ねじ部と前記除去用歯部とを相対回転させることで、当該雄ねじ部から前記シールテープを除去するシールテープ除去具である。
【０００７】
請求項２の発明は請求項１において、前記本体は、前記リールに対して径方向へ移動可能に構成されている。
【０００８】
請求項３の発明は請求項２において、前記本体は環状をなし、当該本体は一部が前記中心孔に挿通された状態で、前記リールに対して径方向への遊びを持って連結されている。
【０００９】
請求項４の発明は請求項２又は請求項３において、前記除去用歯部の内周面は、前記中心孔の内周面に対して周方向に沿った凸曲面状をなしている。
【００１０】
上記の目的を達成するために請求項５の発明は、シールテープをリールに巻回状態で保持したシールテープ巻回体であって、前記リールの中心孔内に除去用歯部が備えられ、当該中心孔にシールテープが貼付された配管部材の雄ねじ部を挿入するとともに、当該雄ねじ部に貼付された前記シールテープに前記除去用歯部を当接させた状態で、前記雄ねじ部と前記除去用歯部とを相対回転させることで、当該雄ねじ部から前記シールテープを除去するシールテープ巻回体である。
【発明の効果】
【００１１】
上記構成の請求項１の発明及び請求項５の発明によれば、リールが備える中心孔の内周面を、雄ねじ部と除去用歯部とが相対回転する際のガイドとして利用して、雄ねじ部に貼付されたシールテープを除去することができる。当該除去作業中においては、除去用歯部の周囲がリールによって取り囲まれた状態となり、作業者は当該除去用歯部に対して触れ難くなる。このように、本発明によれば、シールテープのリールを利用することで、雄ねじ部の外周を大きく取り囲むための専用の構成を必要とせず、当該構成を安価に実現できる。
【００１２】
請求項２の発明によれば、例えば径が異なる雄ねじ部に対しても、径方向における除去用歯部とリールの中心孔との相対位置の変更によって、容易に対応することができる。
【００１３】
請求項３の発明によれば、環状が離断された部分を介して、本体をリールに対して連結させる手順を採用することができ、当該本体をリールに対して装着する作業が容易となる。なお、当該環状が離断された部分は、本体において恒常的に存在するものであってもよい。また、本体は、通常時には途切れの無い環状をなしており、当該装着作業時において環状が離断された部分が一時的に発現し、当該作業が完了した後には当該部分を消滅させるものであってもよい。
【００１４】
請求項４の発明によれば、除去用歯部の背面が中心孔の内周面に沿うため、当該除去用歯部の背面と中心孔の内周面とが当接した状態における当該除去用歯部の姿勢が安定し、ひいてはシールテープの除去作業が容易となる。
【図面の簡単な説明】
【００１５】
【図１】一実施形態のシールテープ除去具の正面図。
【図２】シールテープ除去具の右側面図。
【図３】シールテープ除去具の左側面図。
【図４】シールテープ除去具の平面図。
【図５】シールテープ除去具の底面図。
【図６】図１のＡ−Ａ断面図。
【図７】図２のＢ−Ｂ断面図。
【図８】シールテープ巻回体の右側面図であって、雄ねじ部の外径が大きな管継手に対応する状態を説明する図。
【図９】シールテープ巻回体の右側面図であって、雄ねじ部の外径が小さな管継手に対応する状態を説明する図。
【図１０】シールテープ除去具及びシールテープ巻回体の使用方法を説明するための斜視図。
【発明を実施するための形態】
【００１６】
以下、本発明を具体化した一実施形態について図面を参照しつつ説明する。
図１０に示すように、管継手１０１は、給水給湯用配管に用いられるものであって、一端に雄ねじ部１０１ａを備えるとともに、他端に周知の構造を有したワンタッチ継手部１０１ｂを備えている。雄ねじ部１０１ａは、図示しない給湯器の雌ねじ部に螺合される。ワンタッチ継手部１０１ｂには、前記給水給湯用配管に用いられる図示しない樹脂管が挿入接続される。
【００１７】
管継手１０１の雄ねじ部１０１ａには、前記給湯器の雌ねじ部との間での水密性を確保するために、シールテープ１１が巻き付けられている。当該シールテープ１１は、シールテープ巻回体１５から適量が巻き出されて雄ねじ部１０１ａに貼付されたものである。シールテープ巻回体１５は、シールテープ１１を保持するリール１２を有している。リール１２は、円筒状をなす芯部１３と、芯部１３において軸線方向の両端にそれぞれ設けられた円板状のフランジ部１４とを備えている。リール１２は、一対のフランジ部１４の間において芯部１３の外周面に、シールテープ１１を巻回状態で保持している。
【００１８】
図１０に示す状態の管継手１０１は、前記給水給湯用配管の施工が完了した後日に、当該給水給湯用配管のメンテナンス作業や修理作業を行うために、前記給湯器や前記樹脂管から外されている。当該メンテナンス作業や修理作業が完了した後には、管継手１０１の雄ねじ部１０１ａを前記給湯器の雌ねじ部に再度螺合させるのであるが、水密性の低下の原因となるシールテープ１１の使い回しは行わない。したがって、雄ねじ部１０１ａからシールテープ１１を除去するとともに、新しいシールテープ１１を雄ねじ部１０１ａに貼付する必要がある。このシールテープ１１の除去のために、シールテープ除去具１が用いられる。
【００１９】
図１〜図７に示すように、シールテープ除去具１は、四角環状の本体２を備えている。本体２は、当該四角環状の一辺部分が開放された形状をなす門型部材３と、門型部材３の当該開放部分を覆う矩形平板状の閉塞部材４とを備えている。門型部材３は、閉塞部材４の両端部に立設された一対の側板５と、両側板５の先端間を橋渡しする先端板６とを備えている。一対の側板５と先端板６とは、硬質の合成樹脂により一体成形されている。
【００２０】
図６及び図７に示すように、閉塞部材４は、門型部材３と別体であって、門型部材３と同じ材料により成形されている。閉塞部材４の両端部には、四角柱状の係合凸部４ａがそれぞれ形成されている。門型部材３の各側板５において、閉塞部材４の両端部に臨む端面には、長溝状の係合凹部５ａがそれぞれ形成されている。門型部材３の各係合凹部５ａに対して、閉塞部材４の対応する係合凸部４ａを圧入することで、門型部材３と閉塞部材４とが一体化されている。なお、門型部材３と閉塞部材４とを相互に離間する方向へ強く引っ張れば、係合凸部４ａが係合凹部５ａから抜脱されて、門型部材３と閉塞部材４とが分離される。
【００２１】
図１〜図７に示すように、先端板６は、閉塞部材４と比較して、長手方向の長さが同じで短手方向の長さは短い。したがって、側板５は、閉塞部材４側の幅が広く先端板６側の幅が狭いテーパ状をなしている。先端板６は、円筒を周方向に八等分した形状をなしており、よって閉塞部材４側の板面である背面６ａは凸曲面状をなすとともに、背面６ａとは反対側の板面である先端面６ｂは凹曲面状をなしている。なお、先端板６の背面６ａは、リール１２の中心孔１２ａ（図８参照）の内周面とほぼ同じ曲率半径となっている。また、閉塞部材４及び先端板６において、両側板５の厚み分を除く長手方向の長さは、リール１２（図１０参照）の幅（一対のフランジ部１４の外端面間の距離）よりも大きい。
【００２２】
先端板６の先端面６ｂには、除去用歯部７が設けられている。除去用歯部７は、先端板６の先端面６ｂに刻設された複数の歯７ａを備えている。各歯７ａは、横断面が三角形状をなすとともに、先端面６ｂの周方向に沿って延在する湾曲リブ状をなしている。除去用歯部７における各歯７ａの相互間のピッチは、管継手１０１の雄ねじ部１０１ａ（図１０参照）のねじピッチとほぼ同じに設定されている。
【００２３】
さて、図８〜図１０に示すように、シールテープ除去具１は、リール１２に対して装着されることで、シールテープ１１及びリール１２とともにシールテープ巻回体１５を構成している。シールテープ除去具１は、閉塞部材４を分離した状態の門型部材３をリール１２の中心孔１２ａに挿通させた後、門型部材３に閉塞部材４を一体化することで、リール１２に対して装着されている。
【００２４】
このように、門型部材３と閉塞部材４とを着脱可能とすることで、門型部材３において閉塞部材４が外された部分つまり本体２の環状が離断された部分を介して、本体２をリール１２に対して連結させる手順を採用することができ、シールテープ除去具１をリール１２に対して装着する作業が容易となる。また、リール１２に保持されたシールテープ１１が無くなった場合においても、当該リール１２からシールテープ除去具１を取り外して、シールテープ１１を有する別のリール１２に対して装着し直す作業も容易となる。
【００２５】
シールテープ除去具１は、先端板６がリール１２の中心孔１２ａ内に位置する状態で使用される。シールテープ除去具１において門型部材３の側板５の高さは、フランジ部１４において中心孔１２ａの内周面からの高さよりも大きい。したがって、シールテープ除去具１の本体２は、リール１２に対して径方向への遊びを持って連結されており、よって、図８に示す最大径の位置と図９に示す最小径の位置との間で、リール１２に対して径方向へ移動可能となっている。
【００２６】
また、前述したように、閉塞部材４及び先端板６において、両側板５の厚み分を除く長手方向の長さは、リール１２の幅よりも大きい。したがって、シールテープ除去具１の本体２は、リール１２に対して幅方向への遊びを持って連結されている。つまり、前述したシールテープ除去具１がリール１２に対して径方向への遊びを持っていることと併せて、本体２の内周面とリール１２との間には、本体２の全周に渡る遊びが形成されている。
【００２７】
よって、シールテープ除去具１をリール１２に対して装着する作業が容易となる。すなわち、当該作業の際、門型部材３の一方の側板５をリール１２の中心孔１２ａに挿通させた後、先端板６をリール１２の中心孔１２ａ内に位置させるべく門型部材３をリール１２に対して回転させることになるが、本体２とリール１２との間の全周に渡る遊びを利用して、当該回転をスムーズに行い得る。
【００２８】
さて、図８及び図１０に示すように、管継手１０１の雄ねじ部１０１ａからシールテープ１１を除去するには、シールテープ巻回体１５を使用し、シールテープ除去具１とリール１２とを協働させる。具体的には、雄ねじ部１０１ａをリール１２の中心孔１２ａ内に挿入し、中心孔１２ａの内周面の一部と当該内周面に対向するシールテープ除去具１の除去用歯部７との間で雄ねじ部１０１ａを挟持させる。
【００２９】
当該挟持の際に作業者は、手指や掌等を用いて閉塞部材４の外面（先端板６の背面６ａと対向する内面とは反対側の面）を押圧することになる。閉塞部材４は先端板６と比較して短手方向の長さが長く、つまり当該外面の面積が広く確保されており、よって当該押圧を安定して行い得る。
【００３０】
中心孔１２ａの内周面とシールテープ除去具１の除去用歯部７との間で雄ねじ部１０１ａが挟持された状態では、除去用歯部７の各歯７ａが、雄ねじ部１０１ａの対応するねじ山間でシールテープ１１に当接される。当該当接状態にて、雄ねじ部１０１ａと除去用歯部７とを相対回転させることで、主には各歯７ａの先行する端面がスクレーパー様の作用を奏して、雄ねじ部１０１ａからシールテープ１１が除去される。
【００３１】
当該除去作業中においては、例えばシールテープ巻回体１５と管継手１０１との間で相対的なガタつきを生じることがある。しかし、リール１２の中心孔１２ａが管継手１０１の雄ねじ部１０１ａを全周に渡って取り囲んでおり、中心孔１２ａの内周面が、相対回転するシールテープ除去具１と雄ねじ部１０１ａとのガイドとなって当該ガタつきを抑え、当該相対回転ひいてはシールテープ１１の除去作業を安定して行い得る。また、当該除去作業中においては、除去用歯部７の周囲がリール１２によって取り囲まれた状態となり、作業者は除去用歯部７に対して触れ難くなる。
【００３２】
このように、シールテープ１１の除去作業に、シールテープ除去具１のみならずリール１２を利用することで、換言すればシールテープ巻回体１５が有する既存の構成を利用することで、雄ねじ部１０１ａの外周を大きく取り囲むための専用の構成を必要とせず、当該構成を安価に実現できる。
【００３３】
ここで、図８及び図１０に示す管継手１０１は、図９に示す管継手１０１と比較して、雄ねじ部１０１ａの外径が大きい。したがって、シールテープ１１の除去作業中において、例えばシールテープ除去具１とリール１２との相対的なガタつきにより、シールテープ除去具１の先端板６の背面６ａつまり除去用歯部７の背面６ａが、リール１２の中心孔１２ａの内周面に対して当接した状態となり易い。しかし、除去用歯部７の背面６ａは、リール１２の中心孔１２ａの内周面に沿う凸曲面状をなしているため、除去用歯部７の背面６ａと中心孔１２ａの内周面とが当接した状態における除去用歯部７の姿勢が安定し、ひいてはシールテープ１１の除去作業が容易となる。
【００３４】
図９に示す管継手１０１は、図８及び図１０に示す管継手１０１と比較して、雄ねじ部１０１ａの外径が小さい。前述したように、シールテープ除去具１は、リール１２に対して径方向へ移動可能となっている。したがって、雄ねじ部１０１ａの外径が小さい管継手１０１に対しても、除去用歯部７を安定した姿勢でシールテープ１１に当接させることができ、ひいてはシールテープ１１の除去作業を容易に行い得る。
【００３５】
＜変形例＞
なお、本発明は、例えば次の態様でも実施可能である。
○除去用歯部７を本体２とは別体とすること。このようにすれば、除去用歯部７の材質を本体２の材質に影響されることなく選択することができ、例えば金属製の歯７ａとすれば、シールテープ１１の除去作業を効率よく行い得るし、耐久性にも優れる。
【００３６】
○シールテープ除去具１の本体２は、門型部材３と閉塞部材４とが一体化された通常時には途切れの無い環状をなしており、リール１２への装着作業時において、閉塞部材４が分離された門型部材３に、環状が離断された部分が一時的に発現し、当該作業が完了した後には、閉塞部材４が一体化されることで当該部分を消滅させるものであった。
【００３７】
しかし、これに限定されるものではなく、本体２において環状が離断された部分が、恒常的に存在するものであってもよい。例えば門型部材３と閉塞部材４とを一体成形するとともに、閉塞部材４の長手方向の一端部に相当する部分を除去して、当該除去部分で環状を恒常的に離断させ、当該離断部分を介してシールテープ除去具１をリール１２に対して着脱可能とする構成が挙げられる。
【００３８】
○門型部材３をリール１２の中心孔１２ａに挿通した状態にて、門型部材３と閉塞部材４とを接着剤や溶着によって一体化すること。
【００３９】
○リール１２において中心孔１２ａの内周面に、歯７ａを刻設して除去用歯部７とすること。または、当該内周面に、歯７ａが刻設された部材（除去用歯部７）を固定すること。このようにすれば、別体のシールテープ除去具１を準備する必要がなく、シールテープ１１の除去機能を有したシールテープ巻回体１５をさらに安価に提供することができる。
【符号の説明】
【００４０】
１…シールテープ除去具、２…本体、６ａ…除去用歯部の背面、７…除去用歯部、１１…シールテープ、１２…リール、１２ａ…中心孔、１５…シールテープ巻回体、１０１…配管部材としての管継手、１０１ａ…雄ねじ部。
【図１】
2019086019.tif 000003
【図２】
2019086019.tif 000004
【図３】
2019086019.tif 000005
【図４】
2019086019.tif 000006
【図５】
2019086019.tif 000007
【図６】
2019086019.tif 000008
【図７】
2019086019.tif 000009
【図８】
2019086019.tif 000010
【図９】
2019086019.tif 000011
【図１０】
2019086019.tif 000012